(57)【要約】【課題】棚板の位置が安定する棚板支持具を提供する。【解決手段】棚板支持具１００は棚板を支持する支持面１１１と、支持面１１１から突出し、棚板に設けられる凹部に挿入される凸部１３１とを備える。【選択図】図５
2020054524.tif 000002
【特許請求の範囲】
【請求項１】
棚板を支持する支持面と、
前記支持面から突出し、前記棚板に設けられる凹部に挿入される凸部とを備える
棚板支持具。
【請求項２】
前記支持面は第１支持面と、前記第１支持面とは異なる高さで前記棚板を支持する第２支持面を含み、
前記凸部は前記第１支持面に設けられる第１凸部、および、前記第２支持面に設けられる第２凸部を含む
請求項１に記載の棚板支持具。
【請求項３】
前記支持面を含む板状の支持部と、
前記支持部に設けられ、収納棚に固定される固定部とを備え、
前記支持部の正面視において、前記凸部および前記固定部を通過する仮想線と前記支持面とが直交する
請求項１または２に記載の棚板支持具。
【請求項４】
棚板を支持する支持面と、
前記支持面に設けられ、前記棚板に設けられる凸部が挿入される凹部とを備える
棚板支持具。
【発明の詳細な説明】
【技術分野】
【０００１】
本発明は棚板支持具に関する。
【背景技術】
【０００２】
棚板を支持する棚板支持具が知られている。その一例である特許文献１に記載の棚板受具は棚板を支持する受面(１)を含む主体(５)、および、主体(５)に設けられる軸(６)を備える。
【先行技術文献】
【特許文献】
【０００３】
【特許文献１】実開昭５１−１０５４１９号公報
【発明の概要】
【発明が解決しようとする課題】
【０００４】
特許文献１では、受面(１)に載せられた棚板の位置を安定させる点については特に言及していない。
【課題を解決するための手段】
【０００５】
(１)本発明に関する棚板支持具は棚板を支持する支持面と、前記支持面から突出し、前記棚板に設けられる凹部に挿入される凸部とを備える。
上記棚板支持具によれば、凹部に凸部が挿入されることによって、棚板支持具に対する棚板の位置ずれが抑制される、または、棚板支持具に対する棚板の位置ずれが生じない。このため、棚板の位置が安定する。
【０００６】
(２)好ましい例では(１)に記載の棚板支持具において、前記支持面は第１支持面と、前記第１支持面とは異なる高さで前記棚板を支持する第２支持面を含み、前記凸部は前記第１支持面に設けられる第１凸部、および、前記第２支持面に設けられる第２凸部を含む。
このため、棚板を多様な高さで支持できる。
【０００７】
(３)好ましい例では(２)に記載の棚板支持具において、前記支持面を含む板状の支持部と、前記支持部に設けられ、収納棚に固定される固定部とを備え、前記支持部の正面視において、前記凸部および前記固定部を通過する仮想線と前記支持面とが直交する。
このため、棚板の位置が安定する。
【０００８】
(４)本発明に関する棚板支持具は棚板を支持する支持面と、前記支持面に設けられ、前記棚板に設けられる凸部が挿入される凹部とを備える。
上記棚板支持具によれば、凹部に凸部が挿入されることによって、棚板支持具に対する棚板の位置ずれが抑制される、または、棚板支持具に対する棚板の位置ずれが生じない。このため、棚板の位置が安定する。
【発明の効果】
【０００９】
本発明に関する棚板支持具によれば、棚板の位置が安定する。
【図面の簡単な説明】
【００１０】
【図１】実施形態の棚板支持具を含む間仕切収納システムの第１形態の正面図。
【図２】図１の間仕切収納システムの第２形態の正面図。
【図３】図１のＤ３−Ｄ３線に沿う断面図。
【図４】図１の小棚板の背面側の斜視図。
【図５】図３の棚板支持具の背面側の斜視図。
【図６】図５の棚板支持具の正面図。
【図７】第１支持面で小棚板を支持している状態の棚板支持具、および、その周辺の図。
【図８】第２支持面で小棚板を支持している状態の棚板支持具、および、その周辺の図。
【図９】第３支持面で小棚板を支持している状態の棚板支持具、および、その周辺の図。
【図１０】第４支持面で小棚板を支持している状態の棚板支持具、および、その周辺の図。
【図１１】変形例の棚板支持具の背面側の斜視図。
【図１２】図１１の棚板支持具の正面図。
【発明を実施するための形態】
【００１１】
(実施形態)
図１を参照して、実施形態の棚板支持具１００を含む間仕切収納システム１について説明する。間仕切収納システム１は建築物２００の屋内、または、屋外の床、壁、天井等を有する場所に設置される。建築物２００の一例は個別住宅、集合住宅、蔵、納屋、および、車庫である。間仕切収納システム１が建築物２００に設けられる室２１０の中間部に設置される場合、間仕切収納の機能によって室２１０が区画され、さらには、間仕切収納の壁厚を利用した収納の機能を利用できる。間仕切収納システム１が建築物２００に設けられる室２１０の壁際に設置される場合、間仕切収納の壁厚を利用した収納の機能のみを利用できる。室２１０の一例はリビング、ダイニング、リビングダイニング、寝室、応接室、書斎、玄関、廊下、階段室、トイレ、洗面所、脱衣所、浴室、物置、および、納戸である。
【００１２】
近年では、ユーザの生活スタイルの変化に応じて室２１０の利用形態を多様に変更できることが望まれている。ユーザの生活スタイルの変化の一例はユーザの家族構成の変化である。間仕切収納システム１は室２１０の利用形態を多様に変更できるように構成されている。間仕切収納システム１の形態は室２１０の利用形態に応じてユーザに選択される第１形態(図１参照)、および、第２形態(図２参照)を含む。第１形態は室２１０を第１空間３１０および第２空間３２０(いずれも図３参照)に区画する形態である。第２形態は室２１０を区画しない形態である。
【００１３】
図１に示されるように、間仕切収納システム１を構成する主な要素は一対の縦枠１０、間仕切収納部材２０、および、収納部９０である。一対の縦枠１０は室２１０の壁２２０に固定される。一対の縦枠１０は収納部９０を支持する。一対の縦枠１０を構成する材料は任意に選択できる。一例では、一対の縦枠１０を構成する材料は木である。
【００１４】
間仕切収納部材２０は間仕切収納システム１が第１形態の場合に一対の縦枠１０、収納部９０、および、室２１０の床２３０によって囲まれる開口部４００に配置される。間仕切収納部材２０を構成する材料は任意に選択できる。好ましい例では、間仕切収納部材２０はユーザが容易に持ち運べるように軽量な材料によって構成される。その一例は木である。間仕切収納部材２０の種類は多種多様である。一例では、間仕切収納部材２０は複数の基礎棚板３０、複数の非開口パネル４０、複数の開口パネル５０、複数の引出ユニット６０、複数の仕切板７０、および、複数の小棚板８０を含む。
【００１５】
基礎棚板３０は一対の縦枠１０に接続される。このため、間仕切収納システム１の水平方向、換言すれば、基礎棚板３０の短手方向の強度が高められる。基礎棚板３０には、非開口パネル４０、開口パネル５０のフレーム５１、および、引出ユニット６０のフレーム６２が嵌め込まれる複数の溝３１(図３参照)が設けられる。複数の溝３１は基礎棚板３０の長手方向に沿って設けられる。基礎棚板３０に設けられる溝３１の数は１または複数である。一例では、１枚の基礎棚板３０には、４つの溝３１が設けられる。
【００１６】
非開口パネル４０は間仕切収納システム１が第１形態の場合に溝３１に嵌め込まれることによって、第１空間３１０および第２空間３２０の一方から他方を視認できないように開口部４００を遮蔽する。非開口パネル４０の溝３１への嵌め込み方式はケンドン式である。このため、非開口パネル４０を容易に設置できる。
【００１７】
開口パネル５０は基礎棚板３０または小棚板８０に置かれた物体を出し入れするために利用される。開口パネル５０は基礎棚板３０の溝３１に嵌め込まれるフレーム５１、および、フレーム５１に取り付けられる建具５２を備える。フレーム５１の溝３１への嵌め込み方式はケンドン式である。このため、開口パネル５０を容易に設置できる。建具５２は例えば、戸である。戸の種類は例えば、両開きの開き戸、片引きの引戸、引違の引戸、引分の引戸、片引きの吊戸、引違の吊戸、引分の吊戸、上開き戸、下開き戸、および、折戸等である。図１等に示される例では、建具５２は上開き戸、両開きの開き戸、および、引違の引戸である。
【００１８】
引出ユニット６０は基礎棚板３０に載せられる。引出ユニット６０は物品を収納可能であるユニット本体６１、および、ユニット本体６１が一対の縦枠１０から飛び出すことを抑制するフレーム６２を備える。フレーム６２は基礎棚板３０の溝３１にはめ込まれる。フレーム６２の溝３１への嵌め込み方式はケンドン式である。このため、フレーム６２を容易に設置できる。
【００１９】
複数の仕切板７０は一対の縦枠１０の長手方向に並べられた基礎棚板３０の間の領域を区画する。複数の仕切板７０の端面にはそれぞれ連結ダボ(図示略)が取り付けられる。連結ダボが基礎棚板３０に設けられる穴(図示略)に挿入されることによって、基礎棚板３０と仕切板７０とが連結される。複数の仕切板７０には、小棚板８０を支持する棚板支持具１００(図３参照)が取り付けられる１または複数の穴７１が設けられる。図３に示される例では、１枚の仕切板７０の片面に６つの穴７１が設けられる。
【００２０】
収納部９０は室２１０の壁２２０および天井２４０に固定される。収納部９０は一対の縦枠１０と天井２４０との間に設けられ、一対の縦枠１０の端部に支持される。換言すれば、収納部９０は一対の縦枠１０の上方に設置される。このため、間仕切収納の機能が不要である場合に、一対の縦枠１０の間をユーザが容易に通過できる。収納部９０は第２形態の間仕切収納システム１において、分解された間仕切収納部材２０を収納できるように構成された箱である。
【００２１】
複数の小棚板８０は基礎棚板３０の長手方向に沿って並べられた仕切板７０のうちの隣り合う仕切板７０の間の領域を区画する。小棚板８０は仕切板７０に取り付けられる棚板支持具１００(図３参照)に支持される。小棚板８０の表面８０Ａには物品(図示略)が載せられる。
【００２２】
図４に示されるように、小棚板８０の背面８０Ｂには棚板支持具１００の凸部１３１(図５参照)が挿入される凹部８１が設けられる。図４に示される例では、小棚板８０の背面には４つの凹部８１が設けられる。４つの凹部８１は小棚板８０の背面８０Ｂにおいて、短手方向に所定の間隔をあけて設けられる。
【００２３】
図５に示される棚板支持具１００は支持している小棚板８０の位置が安定するように構成される。棚板支持具１００を構成する材料は任意に選択できる。好ましい例では、棚板支持具１００は小棚板８０、および、小棚板８０に載せられる物品を支持できるように強度の高い材料によって構成される。その一例は金属である。棚板支持具１００を構成する主な要素は支持部１１０および固定部１２０である。
【００２４】
支持部１１０は正面１１０Ａ、背面１１０Ｂ、および、支持面１１１を含む。正面１１０Ａの形状は任意に選択できる。図６等に示される第１例では正面１１０Ａの形状は正方形である。第２例では、正面１１０Ａの形状は長方形である。第３例では、正面１１０Ａの形状は多角形である。背面１１０Ｂの形状は任意に選択できる。背面１１０Ｂの形状の例は正面１１０Ａの形状の例と同様である。図５等に示される例では、背面１１０Ｂの形状は正方形である。正面１１０Ａの形状と背面１１０Ｂの形状とは同じ形状であることが好ましい。
【００２５】
支持面１１１は小棚板８０を支持する。支持面１１１は正面１１０Ａと背面１１０Ｂとを繋ぐ側面である。棚板支持具１００に設けられる支持面１１１の数は１または複数である。支持面１１１の形状は任意に選択できる。支持面１１１の形状の例は正面１１０Ａの形状の例と同様である。支持面１１１は平滑面である。図６等に示される例では、棚板支持具１００には４つの支持面１１１が設けられる。以下では、４つの支持面１１１を第１支持面１１１Ａ、第２支持面１１１Ｂ、第３支持面１１１Ｃ、および、第４支持面１１１Ｄと称する場合がある。
【００２６】
各支持面１１１Ａ〜１１１Ｄにはそれぞれ、各支持面１１１Ａ〜１１１Ｄから突出する凸部１３１が設けられる。以下では、第１支持面１１１Ａに設けられる凸部１３１を第１凸部１３１Ａと称する。第２支持面１１１Ｂに設けられる凸部１３１を第２凸部１３１Ｂと称する。第３支持面１１１Ｃに設けられる凸部１３１を第３凸部１３１Ｃと称する。第４支持面１１１Ｄに設けられる凸部１３１を第４凸部１３１Ｄと称する。各凸部１３１Ａ〜１３１Ｄの形状は小棚板８０に設けられる凹部８１の形状に応じて任意に選択できる。図５等に示される第１例では、各凸部１３１Ａ〜１３１Ｄの形状は半円板形である。第２例では、各凸部１３１Ａ〜１３１Ｄの形状は多角柱である。第１凸部１３１Ａ、第２凸部１３１Ｂ、第３凸部１３１Ｃ、および、第４凸部１３１Ｄの形状は互いに等しいことが好ましい。
【００２７】
固定部１２０は支持部１１０の正面１１０Ａまたは背面１１０Ｂから突出するように設けられる。図５等に示される例では、固定部１２０は支持部１１０の背面１１０Ｂから突出するように設けられる。固定部１２０は仕切板７０の穴７１(図７参照)に挿入される。固定部１２０の形状は仕切板７０に設けられる穴７１の形状に応じて任意に選択できる。図５等に示される第１例では、固定部１２０の形状は円柱である。第２例では、固定部１２０の形状は多角柱である。
【００２８】
支持部１１０の正面視(図６参照)において、第１支持面１１１Ａは固定部１２０の中心１２０Ｘから距離ＬＡ離れている。第２支持面１１１Ｂは固定部１２０の中心１２０Ｘから距離ＬＢ離れている。第３支持面１１１Ｃは固定部１２０の中心１２０Ｘから距離ＬＣ離れている。第４支持面１１１Ｄは固定部１２０の中心１２０Ｘから距離ＬＤ離れている。好ましい例では、距離ＬＡ、距離ＬＢ、距離ＬＣ、および、距離ＬＤは互いに異なる。このため、多様な高さで小棚板８０を支持できる。図６等に示される例では、距離ＬＣ、距離ＬＢ、距離ＬＤ、および、距離ＬＡの順に長い。
【００２９】
支持部１１０の正面視において、凸部１３１および固定部１２０を通過する仮想線ＶＡ〜ＶＤと支持面１１１Ａ〜１１１Ｄとは直交する。支持部１１０の正面視において、第１凸部１３１Ａの円弧の中央ＸＡと固定部１２０の中心１２０Ｘを通過する仮想線ＶＡと、第１支持面１１１Ａとは直交する。このため、第１支持面１１１Ａで小棚板８０を支持している場合に小棚板８０の位置が安定する。第２凸部１３１Ｂの円弧の中央ＸＢと固定部１２０の中心１２０Ｘを通過する仮想線ＶＢと、第２支持面１１１Ｂとは直交する。このため、第２支持面１１１Ｂで小棚板８０を支持している場合に小棚板８０の位置が安定する。第３凸部１３１Ｃの円弧の中央ＸＣと固定部１２０の中心１２０Ｘを通過する仮想線ＶＣと、第３支持面１１１Ｃとは直交する。このため、第３支持面１１１Ｃで小棚板８０を支持している場合に小棚板８０の位置が安定する。第４凸部１３１Ｄの円弧の中央ＸＤと固定部１２０の中心１２０Ｘを通過する仮想線ＶＤと、第４支持面１１１Ｄとは直交する。このため、第４支持面１１１Ｄで小棚板８０を支持している場合に小棚板８０の位置が安定する。また、第１支持面１１１Ａ〜第４支持面１１１Ｄと固定部１２０との位置関係が上記のように設定されているため、仕切板７０に対する小棚板８０の水平方向の位置を変更せずに、小棚板８０の上下方向の位置を変更できる。
【００３０】
棚板支持具１００の使用方法の一例について説明する。
図７に示されるように、第１支持面１１１Ａが上側となるように固定部１２０が仕切板７０の穴７１に挿入された場合、第１凸部１３１Ａに凹部８１が挿入されるように小棚板８０が第１支持面１１１Ａに載せられる。
【００３１】
図８に示されるように、第２支持面１１１Ｂが上側となるように固定部１２０が仕切板７０の穴７１に挿入された場合、第２凸部１３１Ｂに凹部８１が挿入されるように小棚板８０が第２支持面１１１Ｂに載せられる。このため、第１支持面１１１Ａによって小棚板８０が支持される場合よりも高い位置で小棚板８０が支持される。
【００３２】
図９に示されるように、第３支持面１１１Ｃが上側となるように固定部１２０が仕切板７０の穴７１に挿入された場合、第３凸部１３１Ｃに凹部８１が挿入されるように小棚板８０が第３支持面１１１Ｃに載せられる。このため、第２支持面１１１Ｂによって小棚板８０が支持される場合よりも高い位置で小棚板８０が支持される。
【００３３】
図１０に示されるように、第４支持面１１１Ｄが上側となるように固定部１２０が仕切板７０の穴７１に挿入された場合、第４凸部１３１Ｄに凹部８１が挿入されるように小棚板８０が第４支持面１１１Ｄに載せられる。このため、第２支持面１１１Ｂによって小棚板８０が支持される場合よりも低い位置、かつ、第１支持面１１１Ａによって小棚板８０が支持される場合よりも高い位置で小棚板８０が支持される。
【００３４】
棚板支持具１００の作用および効果について説明する。
凹部８１に凸部１３１が挿入されることによって、棚板支持具１００に対する小棚板８０の位置ずれが抑制される、または、棚板支持具１００に対する小棚板８０の位置ずれが生じない。このため、小棚板８０の位置が安定する。
【００３５】
(変形例)
上記実施形態は本発明に関する棚板支持具が取り得る形態の例示であり、その形態を制限することを意図していない。本発明に関する棚板支持具は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３６】
・棚板支持具１００の構成は任意に変更可能である。図１１および図１２に示されるように、変形例の棚板支持具１００は凸部１３１に代えて、各支持面１１１Ａ〜１１１Ｄにそれぞれ凹部１３２が設けられる。この変形例の棚板支持具１００は小棚板８０に設けられる凸部(図示略)が凹部１３２に挿入される。この変形例の棚板支持具１００によれば、実施形態の棚板支持具１００と同様の作用および効果が得られる。
【００３７】
・固定部１２０の構成は任意に変更可能である。変形例の棚板支持具１００の固定部１２０は支持部１１０を貫通する孔、または、支持部１１０を貫通しない穴である。この変形例の棚板支持具１００は孔または穴に仕切板７０に設けられるダボ(図示略)が挿入されることによって、仕切板７０に取り付けられる。
【符号の説明】
【００３８】
８０    ：小棚板(棚板)
８１    ：凹部
１００  ：棚板支持具
１１０  ：支持部
１１１  ：支持面
１１１Ａ：第１支持面
１１１Ｂ：第２支持面
１２０  ：固定部
１３１  ：凸部
１３１Ａ：第１凸部
１３１Ｂ：第２凸部
【図１】
2020054524.tif 000003
【図２】
2020054524.tif 000004
【図３】
2020054524.tif 000005
【図４】
2020054524.tif 000006
【図５】
2020054524.tif 000007
【図６】
2020054524.tif 000008
【図７】
2020054524.tif 000009
【図８】
2020054524.tif 000010
【図９】
2020054524.tif 000011
【図１０】
2020054524.tif 000012
【図１１】
2020054524.tif 000013
【図１２】
2020054524.tif 000014